(57)【特許請求の範囲】
【請求項１】
什器設置面に接地される接地面が形成された脚部を有し、前記脚部を前記什器設置面上に配置した設置状態での前後方向に沿うように、複数台重なってスタッキング状態とすることが可能な什器であって、
前記脚部の少なくとも一部が前記スタッキング状態で重なる他の什器の脚部と前記接地面との交差方向で重なるまで、前記他の什器の脚部を収容可能な脚収容部を備え、
前記脚部の前記接地面と反対側の前記設置状態における上面には、前記他の什器の脚部を前記脚収容部に収容したとき、あるいは前記他の什器の前記脚収容部に前記脚部が収容されたとき、前記他の什器の脚部の端部を前記設置状態での前後方向で突き当て可能なストッパ突部が設けられ、
前記ストッパ突部には、前記ストッパ突部の突き当て面上で庇状に張り出し、突き当てられた前記他の什器の脚部の端部の前記上面に係合可能な外面係合部が設けられている、什器。
【請求項２】
前記ストッパ突部には、突き当てられた前記他の什器の脚部における什器幅方向の側面に係合可能な側面係合部が設けられている、請求項１に記載の什器。
【請求項３】
前記ストッパ突部は、前記脚部に固定された別体の装着部材により形成されている、請求項１又は２に記載の什器。
【請求項４】
前記設置状態で、前記脚部の前記什器設置面に対する移動を連結具で規制可能であり、
前記ストッパ突部は、前記連結具における前記設置状態での前後方向の端部に係合する位置決め突部と一体形成されている、請求項１から３の何れか一項に記載の什器。
【請求項５】
前記脚部の前記上面には、前記設置状態での前後方向で前記位置決め突部との間に前記連結具を挟み込むように第二位置決め突部が設けられ、
前記第二位置決め突部における前記設置状態での前後方向で前記位置決め突部と反対側の端部には、前記反対側に位置するほど前記脚部の前記上面からの突出高さを漸減させる傾斜面が形成されている、請求項４に記載の什器。
【請求項６】
請求項１から５の何れか一項に記載の什器を複数備えるとともに、
複数の前記什器をスタッキング状態にして収容する収容部を備えている、什器システム。
【発明の詳細な説明】
【技術分野】
【０００１】
本発明は、什器および什器システムに関する。
【背景技術】
【０００２】
従来、例えば水平方向に入れ子状に重合されたスタッキング状態において、重合方向に隣接する他の什器との位置決め手段を備える什器として、例えば下記特許文献１〜３に開示されるものがある。
特許文献１，２に開示される椅子は、脚の形状を適宜工夫することによって、前後方向に重合させることが可能になっている。重合された複数の椅子は、前後方向における相対位置を決めるために、各々が位置決め手段を備えている。
ところで、上記のように重合状態で収容できる椅子は、同一仕様のものが所定の広さを有する空間内に多数並設されることがあるが、その場合、特許文献３に開示されるように、椅子とは独立した積載用什器に積載された状態でバックヤードに収容されることがある。
【先行技術文献】
【特許文献】
【０００３】
【特許文献１】特開２００６−３１４４９９号公報
【特許文献２】特許第５４３２２１８号公報
【特許文献３】特開２０００−１８９２６８号公報
【発明の概要】
【発明が解決しようとする課題】
【０００４】
特許文献３に開示される構成は、椅子を前傾姿勢として前後方向に重合させるため、バックヤード内で水平方向の面積を広く占有し易く、収容効率に改善の余地がある。
上記収容効率の改善のために、椅子を９０度回転させた上向き状態として、積載用什器に上下方向で積載することが考えられる。
しかし、この構成を例えば上記特許文献１の構成で実施しようとすると、前後方向の位置決め手段が上下方向に係合していないことから、９０度回転させた上下方向の積載状態では、上方に位置する椅子の位置決めが困難となり、積載状態が乱れる虞がある。また、上記特許文献２の場合、積載状態の乱れは抑えられるものの、座および背凭れのクッションが上下方向の荷重を受けるので、これらのクッションに跡がついて外観を損なう虞がある。
【０００５】
本願発明は、上記の技術的課題に鑑みてなされたもので、複数台重なったスタッキング状態とすることが可能な什器および什器システムにおいて、スタッキング状態での什器間の相対移動を抑止してスタッキング作業性を向上させることを目的とする。
【課題を解決するための手段】
【０００６】
上記課題の解決手段として、本発明は、什器設置面に接地される接地面が形成された脚部を有し、前記脚部を前記什器設置面上に配置した設置状態での前後方向に沿うように、複数台重なってスタッキング状態とすることが可能な什器であって、前記脚部の少なくとも一部が前記スタッキング状態で重なる他の什器の脚部と前記接地面との交差方向で重なるまで、前記他の什器の脚部を収容可能な脚収容部を備え、前記脚部の前記接地面と反対側の外面には、前記他の什器の脚部を前記脚収容部に収容したとき、あるいは前記他の什器の前記脚収容部に前記脚部が収容されたとき、前記他の什器の脚部を前記設置状態での前後方向で突き当て可能なストッパ突部が設けられ、前記ストッパ突部には、突き当てられた前記他の什器の脚部の前記外面に係合可能な外面係合部が設けられている、什器を提供する。
この構成によれば、複数の什器をスタッキング状態としたとき、ストッパ突部で複数の什器の重なり方向の位置決めを行うとともに、上下のスタッキング状態とした際には、ストッパ突部で上下方向の荷重を受けることができる。また、ストッパ突部の外面係合部が、突き当たった他の什器の脚部の外面に係合するので、特に上下のスタッキング状態において、接地面との交差方向で重なる脚部が互いに離間してスタッキング状態を乱すことを抑止することができる。
また、上下のスタッキング状態において、上方の什器の荷重を、下方に位置して重なり合った什器の脚部によって受ける構成であるので、什器同士の距離を確実に確保することができる。したがって、什器がクッションを備える構成であっても、該クッションに過大な荷重が入力されて形状を乱してしまうことを抑止することができる。さらに、スタッキング状態を乱すことを抑止するので、台車等の運搬手段での運搬作業を行い易くすることができる。
【０００７】
本発明において、前記ストッパ突部には、突き当てられた前記他の什器の脚部における什器幅方向の側面に係合可能な側面係合部が設けられている構成としてもよい。
この場合、スタッキング状態で重なる什器の脚部が什器幅方向で相対移動してスタッキング状態を乱すことを抑止することができる。
【０００８】
本発明において、前記ストッパ突部は、前記脚部に固定された別体の装着部材により形成されている構成としてもよい。
この場合、脚部およびストッパ突部のそれぞれの形成を容易にするとともに、脚部およびストッパ突部をそれぞれの機能に適した異なる材料で形成することができる。
【０００９】
本発明において、前記設置状態で、前記脚部の前記什器設置面に対する移動を連結具で規制可能であり、前記ストッパ突部は、前記連結具における前記設置状態での前後方向の端部に係合する位置決め突部と一体形成されている構成としてもよい。
この場合、連結具の什器幅方向と交差する前後方向での位置決めを容易にするとともに、脚部の外面に設けられる連結具用の位置決め突部とスタッキング用のストッパ突部とを一体化して合理化を図ることができる。
【００１０】
本発明において、前記脚部の外面には、前記設置状態での前後方向で前記位置決め突部との間に前記連結具を挟み込むように第二位置決め突部が設けられ、前記第二位置決め突部における前記設置状態での前後方向で前記位置決め突部と反対側の端部には、前記反対側に位置するほど前記脚部の外面からの突出高さを漸減させる傾斜面が形成されている構成としてもよい。
この場合、連結具の什器幅方向と交差する前後方向での位置決めをさらに容易にするとともに、スタッキング作業時に位置決め突部と一体形成されるストッパ突部に向けて、他の什器の脚部が第二位置決め突部側から接近してきた場合に、第二位置決め突部を容易に乗り超えさせることが可能となり、什器のスタッキング作業を容易にすることができる。
【００１１】
また、本発明は、請求項１から５の何れか一項に記載の什器を複数備えるとともに、複数の前記什器をスタッキング状態にして収容する収容部を備えている什器システムを提供する。
この構成によれば、複数の什器をスタッキング状態としたとき、ストッパ突部で複数の什器の重なり方向の位置決めを行うとともに、上下のスタッキング状態とした際には、ストッパ突部で上下方向の荷重を受けることができる。また、ストッパ突部の外面係合部が突き当たった他の什器の脚部の接地面と反対側の外面に係合するので、特に上下のスタッキング状態において、接地面との交差方向で重なる脚部が互いに離間してスタッキング状態を乱すことを抑止することができる。このため、安定したスタッキング状態で什器の収容および移動を行うことが可能となり、利便性を向上させることができる。
【発明の効果】
【００１２】
本発明によれば、複数台重なったスタッキング状態とすることが可能な什器および什器システムにおいて、スタッキング状態での什器間の相対移動を抑止してスタッキング作業性を向上させることができる。
【図面の簡単な説明】
【００１３】
【図１】本発明の実施形態における椅子の前面側の斜視図である。
【図２】上記椅子の後面側の斜視図である。
【図３】上記椅子の平面図である。
【図４】上記椅子の正面図である。
【図５】上記椅子の側面図である。
【図６】上記椅子を複数連結した状態の平面図である。
【図７】上記椅子を複数連結した状態の正面図である。
【図８】上記椅子のスタッキング状態の側面図である。
【図９】図８のＩＸ拡大図である。
【図１０】図８のＸ拡大図である。
【図１１】上記椅子の脚部を複数連結する連結具周辺の斜視図である。
【図１２】上記椅子の脚部に固定される装着部材周辺の斜視図である。
【図１３】上記連結具の連結具本体の斜視図である。
【図１４】上記スタッキング状態における上記装着部材周辺の斜視図である。
【図１５】本実施形態の変形例における連結具周辺の斜視図である。
【図１６】上記変形例における連結具本体の斜視図である。
【図１７】上記実施形態の他の変形例における装着部材周辺の斜視図である。
【図１８】図１７のＸＶＩＩＩ−ＸＶＩＩＩ断面図である。
【図１９】図１８のＸＩＸ−ＸＩＸ断面図である。
【図２０】上記椅子の連結杆とストッパ突部との関係を平面視で示す説明図である。
【発明を実施するための形態】
【００１４】
以下、本発明の一実施形態について図面を参照して説明する。なお、以下の説明において、前後上下左右等の向きは、床面（什器設置面）Ｆ上に設置した状態の椅子１に、正規姿勢で着座した着座者の正面側を「前」、その逆側を「後」とし、上下左右も着座者から見た向きと同一とする。また、図中において、矢印ＵＰは上方を示し、矢印ＦＲは前方を示し、矢印ＬＨは左方を示している。
【００１５】
図１〜図５および図８に示すように、本実施形態の椅子１は、脚体２と、座３と、回動機構４と、背凭れ５と、肘掛６と、横連結機構７とを備えている。
本実施形態の椅子１は、座３を上方に跳ね上げた状態（図５に鎖線で示す）で、床面Ｆ上に設置した設置状態での前後方向に沿うように、前後に複数入れ子状に重ねたスタッキング状態とすることが可能である。
【００１６】
また、椅子１は、座３を上方に跳ね上げるとともに、前記設置状態での前後方向を上下に起立させた上向き姿勢として、専用の台車１００上で上下に複数入れ子状に重ねたスタッキング状態とすることが可能な、可搬式の椅子として構成されている。
他、椅子１は、所定の収容場所に固定的に設置された収容具または収容場所に対しても、前後または上下のスタッキング状態で収容可能である。前記台車１００、収容具および収容場所等を含む収容部と複数の椅子１とで、本実施形態における什器システム１Ｓが構成されている。
【００１７】
脚体２は、前脚２ａと、後脚２ｂと、連結杆（脚部）２ｃと、を備え、左右一対に設けられている。
前脚２ａは、上端２ａ１が下端２ａ２に対して後方に位置するように後傾された例えば丸鋼管で形成され、後脚２ｂの略二倍程度の長さを有して直線状に延びている。
後脚２ｂは、上端２ｂ１が下端２ｂ２に対して前方に位置するように前傾され、例えば前脚２ａよりも小径の丸鋼管で形成されている。後脚２ｂの上端２ｂ１は、前脚２ａの長手方向の略中央部に後方から溶接結合されている。
【００１８】
後脚２ｂは、下端２ｂ２が上端２ｂ１よりも幅方向内側に配置されており、前後方向視で下側ほど幅方向内側に位置するように傾斜している。一方、前脚２ａは、前後方向視で左右相互に平行をなして上下に延びている。すなわち、後脚２ｂの下端２ｂ２側（下半部）は、前脚２ａよりも幅方向内側に傾斜して配置されている。これにより、床面Ｆ上で前後に並ぶ椅子１において、前側の椅子１の一対の後脚２ｂを、後側の椅子１の一対の前脚２ａの間に前方から進入させることが可能となり、複数の椅子１を入れ子状に重ね合わせることが可能となる。このとき、椅子１の接地面２ｃ４を形成する連結杆２ｃにおける接地面２ｃ４と反対側の上面には、後方に位置する椅子１の連結杆２ｃの接地面２ｃ４が上方から重なることとなる。
【００１９】
座３の下方で左右脚体２の前脚２ａ側の間には、前方に位置する他の椅子１の左右脚体２の後脚２ｂ側を前方から収容可能な脚収容部８が構成されている。脚収容部８内に前方から収容された他の椅子１の左右脚体２は、それぞれの連結杆２ｃの接地面２ｃ４とは反対側の外面（上面）２ｃ５側を、脚収容部８を構成する椅子１の左右脚体２の連結杆２ｃの接地面２ｃ４側（下方）にその面直方向で重ねる。このとき、前記他の椅子１の連結杆２ｃ上のストッパ突部１２は、該他の椅子１の左右脚体２を収容する椅子１の連結杆２ｃの前端部２ｃ３に前方から突き当たる。
【００２０】
連結杆２ｃは、例えば床面Ｆと平行な鋼板で形成され、前後方向に直線状に延設された前脚接続部２ｃ１と、前脚接続部２ｃ１から後脚２ｂの下端２ｂ２に至る後脚接続部２ｃ２と、を一体に有している。
【００２１】
前脚接続部２ｃ１は、平面視において、肘掛６と同様に、椅子１の左右方向の最外側に配置されている。前脚接続部２ｃ１は、複数の椅子１が左右方向に隣接して配列されたときに、隣り合う椅子１の前脚接続部２ｃ１と隙間なく当接可能である。
後脚接続部２ｃ２は、前脚接続部２ｃ１の後端から後脚２ｂの下端２ｂ２まで、後側ほど幅方向内側に位置するように傾斜した直線状に延設されている。後脚接続部２ｃ２は、前脚接続部２ｃ１よりも延設長さが短く設定されている。
【００２２】
前脚接続部２ｃ１の前部上面には、前脚２ａの下端２ａ２が溶接結合され、後脚接続部２ｃ２の後部上面には、後脚２ｂの下端２ｂ２が溶接結合されている。前脚接続部２ｃ１の上面において、後脚２ｂ下端の後方かつ前脚２ａ下端の前方には、後述する装着部材１０が固定されている。
【００２３】
脚体２は、連結杆２ｃの下面（接地面２ｃ４）を、床面Ｆに対して例えば不織布等のパッド部材ＰＴを介して当接（接地）させている。このとき、座３、回動機構４、背凭れ５、肘掛６及び横連結機構７が、左右の脚体２に直接的または間接的に支持される。また、脚体２は、着座者がいるときには着座者の体重を支える。なお、パッド部材ＰＴは無くてもよい。
【００２４】
座３は、回動機構４を介して脚体２に対して回動可能に支持されている。座３の上面は着座面３ａとされ、座３の後端部近傍は脚体２に左右方向に沿う回動軸３ｂを介して軸支されている。座３は、着座面３ａを上方に向けた着座姿勢（図５に実線で示す姿勢）と、着座面３ａを背凭れ５側に向けた収納姿勢（図５に鎖線で示す姿勢）と、の間で回動可能とされている。
【００２５】
背凭れ５は、脚体２の前脚２ａの上端２ａ１側に固定されており、座３よりも上方にて脚体２に支持されている。背凭れ５は、着座者がいるときには着座者の背中を後方から支える。
【００２６】
肘掛６は、肘掛本体６ａと、支持部６ｂと、を備え、左右一対に設けられている。
肘掛本体６ａは、脚体２の前脚２ａの上端２ａ１から前方に向けて延設されており、肘掛本体６ａの上面は、着座者の前腕を載せる肘置き面とされている。
支持部６ｂは、肘掛本体６ａの後部下方で肘掛本体６ａの下面に沿うように設けられており、後端部が脚体２の前脚２ａに固定されている。支持部６ｂも肘掛本体６ａと同様、前脚２ａから前方に向けて延設されている。
【００２７】
肘掛６は、全体として前脚２ａから前方に延設されており、かつ回動機構４よりも上方に配置されている。支持部６ｂの前端面は、複数の椅子１が入れ子状に重ね合わされたときに前方の椅子１の肘掛本体６ａの後端面（第二当接面６ａ１）に当接する第一当接面６ｂ１とされている。これにより、複数の椅子１を入れ子状に重ね合わせたときに、肘掛６によって前後の椅子１間の距離が規定される。また、椅子１の連結杆２ｃの前端部２ｃ３が、前方に位置する椅子１の連結杆２ｃ上の装着部材１０のストッパ突部１２に後方から当接することによっても、前後の椅子１間の距離が規定される。したがって、複数の椅子１を前後に等間隔に重ね合わせることができる。
【００２８】
横連結機構７は、椅子１の左右両側に設けられた回動機構４の外側面に各々取り付けられている。横連結機構７は、複数の椅子１同士が横方向に配列されたときに、隣り合う椅子１同士を接続するための機構である。
【００２９】
図６、図７を併せて参照し、本実施形態の椅子１は、例えば劇場、ホールの空きスペースおよび体育館等において、左右方向（什器幅方向）に複数配列することで、着席スペースを臨時的に増設することができる。このとき、左右に隣り合う椅子１同士は、横連結機構７同士を接続するとともに、後述する連結具２１によって連結杆２ｃ同士を連結し、この連結具２１によって連結杆２ｃを床面Ｆに固定することで、床面Ｆ上の設置箇所に複数の椅子１を固定的に設置可能とされている。このとき、前記複数の椅子１によって本実施形態における組み合わせ什器１Ａが構成されている。
【００３０】
連結杆２ｃの前脚接続部２ｃ１は、椅子１の最外側に位置して前後方向に延在しており、前述したように、複数の椅子１が左右方向に隣接して配列されたときには、隣り合う椅子１の前脚接続部２ｃ１と当接可能である。このため、複数の椅子１を横並びに配置したときに、隣接する椅子１の連結杆２ｃの間に床面Ｆ上の間隔が生じない。前記間隔が生じると埃等が溜り易いが、本実施形態の椅子１では設置される床面Ｆの清掃が容易である。また、前脚接続部２ｃ１が前後方向に沿う直線状であるので、複数の椅子１を幅方向に複数並設する作業にあたり、前脚接続部２ｃ１が隣り合う椅子１を設置する際のガイドとなる。
【００３１】
図８は、本実施形態の椅子１を上下方向で入れ子状に複数重ねたスタッキング状態とし、専用の台車１００上に載置した状態を示している。
図８、図９、図１４に示すように、複数の椅子１を上下のスタッキング状態とした場合には、スタッキング状態で下方に位置する椅子１の肘掛６の第一当接面６ｂ１に、スタッキング状態で上方に位置する椅子１の肘掛６の第二当接面６ａ１が上方から当接する。また、スタッキング状態で下方に位置する椅子１の脚体２の連結杆２ｃの前端部２ｃ３に、スタッキング状態で上方に位置する椅子１の脚体２の連結杆２ｃ上に固定された装着部材１０のストッパ突部１２が上方から当接する。図中矢印Ｆ−Ｒは椅子１における床面Ｆ上に設置した状態での前後方向を示す。
【００３２】
これにより、複数の椅子１を上下に重ねたスタッキング状態としたときに、上下に重なる椅子１間の距離が規定される。互いに当接する肘掛６および連結杆２ｃは、それぞれ着座者の身体を支持する強度の高い部材であり、複数の椅子１を積み重ねる際の荷重をしっかり受け止めることが可能である。
【００３３】
なお、複数の椅子１を床面Ｆ上に設置した際の姿勢のまま、床面Ｆ上で前後に複数入れ子状に重ねたスタッキング状態とした場合においても、後方に位置する椅子１の第一当接面６ｂ１に、前方に位置する椅子１の第二当接面６ａ１が前方から当接し、かつ、後方に位置する椅子１の連結杆２ｃの前端部２ｃ３に、前方に位置する椅子１の連結杆２ｃ上のストッパ突部１２が前方から当接することで、前後に入れ子状に重なる椅子１の相対的な位置決めがなされる。
【００３４】
図８、図１０に示すように、上下のスタッキング状態では、椅子１の接地面２ｃ４を形成する連結杆２ｃにおける接地面２ｃ４と反対側の上面に、スタッキング状態で下方に位置する椅子１の連結杆２ｃの接地面２ｃ４が重なる。連結杆２ｃの上面には、前記装着部材１０がボルトおよびナット等の適宜の固定手段によって固定されている。
【００３５】
図１１、図１２を併せて参照し、装着部材１０は、連結杆２ｃと別体をなし、鉄鋼製の連結杆２ｃに対し、例えばポリアセタール等の合成樹脂材料により形成されている。装着部材１０は、連結杆２ｃの上面に沿うベース板部１１と、ベース板部１１の前端部から上方に突出するように形成されるストッパ突部１２と、ストッパ突部１２の後部に一体形成される位置決め突部１３と、ベース板部１１の後端部からストッパ突部１２よりも低く上方に突出するように形成される第二位置決め突部１４と、を一体形成している。
【００３６】
ストッパ突部１２は、上下のスタッキング状態で下方に位置する椅子１の連結杆２ｃにおける上向きとなった前端部２ｃ３を下方から突き当て可能である。
ストッパ突部１２の後部に一体形成される位置決め突部１３は、椅子１の設置状態で、後述する連結具２１を後方から当接させて位置決め可能であり、第二位置決め突部１４は、椅子１の設置状態で、前記連結具２１を前方から当接させて位置決め可能である。すなわち、装着部材１０には、椅子１の設置状態で、連結具２１を前後方向（什器幅方向と交差する方向）で挟み込むように位置決めする位置決め突部１３および第二位置決め突部１４が一体形成されている。図中符号１３ａは位置決め突部１３における連結具２１を後方から当接させる位置決め端、符号１４ａは第二位置決め突部１４における連結具２１を前方から当接させる第二位置決め端をそれぞれ示す。
【００３７】
図１１〜図１３を参照し、連結杆２ｃには、什器幅方向で隣り合う椅子１の連結杆２ｃを床面Ｆ上で連結した状態で、床面Ｆに固定される連結具２１が取り付け可能である。
連結具２１は、什器幅方向に延びる幅方向延設部２１ａ、および什器幅方向で幅方向延設部２１ａの端部から垂下する垂下部２１ｂ、を一体形成してなる。幅方向延設部２１ａは、隣接する連結杆２ｃからなる脚部群２ｃＧを床面Ｆとの間に挟み込むように設けられている。垂下部２１ｂは、脚部群２ｃＧの什器幅方向一側の側縁部に係合するように設けられている。連結具２１は、床面Ｆに対し、床面Ｆに穿設されたナット孔２６および該ナット孔２６に螺合するボルト２２を含む固定手段により着脱可能に固定される。
【００３８】
ボルト２２は、例えば手回し操作用のダイヤルを備えている。このボルト２２により、連結杆２ｃおよび床面Ｆとは別体の連結具２１が、連結杆２ｃおよび床面Ｆに対して着脱可能に取り付け可能である。
【００３９】
連結具２１の幅方向延設部２１ａには、ボルト２２を挿通可能なボルト挿通孔２１ｃが形成されており、この連結具２１が隣り合う連結杆２ｃを互いに連結した状態で、これらの連結杆２ｃをボルト２２およびナット孔２６により床面Ｆに固定可能である。ボルト挿通孔２１ｃは、幅方向延設部２１ａにおける什器幅方向の中央よりも垂下部２１ｂが形成されていない側に寄って形成されており、幅方向の変位規制手段の無い側の連結管２ｃの変位および浮き上がり等がボルト２２およびナット孔２６の組み合わせにより確実に規制される。連結具２１は、連結杆２ｃに固定された装着部材１０の位置決め突部１３および第二位置決め突部１４の間に上方から載置され、前後方向の位置決めがなされた状態で取り付けられる。
【００４０】
本実施形態において、什器幅方向で隣り合う連結杆２ｃの一方には、ボルト２２を挿通可能なボルト挿通孔２ｃ６が形成されている。連結具２１を固定するボルト２２は、ボルト挿通孔２ｃ６が形成された一方の連結杆２ｃを連結具２１との共締めにより直接的に床面Ｆに固定可能である。装着部材１０のベース板部１１には、ボルト挿通孔２ｃ６に対応するボルト挿通孔１１ａが形成されている。
【００４１】
図１４を併せて参照し、ストッパ突部１２は、上下のスタッキング状態で下方に位置する椅子１の連結杆２ｃにおける上向きとなった前端部２ｃ３を下方から入り込ませるように、スタッキング状態での下方に開放する凹状に形成されている。
連結杆２ｃの前端部２ｃ３は、平面視で半円状に形成されており、ストッパ突部１２は、連結杆２ｃの前端部２ｃ３の形状に整合するように、凹状の円弧面を突き当て面１２ａとしている。
【００４２】
ストッパ突部１２の突出端側には、突き当て面１２ａ上で庇状に張り出し、スタッキング状態で下方に位置する椅子１の連結杆２ｃにおける上向きとなった前端部２ｃ３の外面（上面）２ｃ５に当接して係合する外面係合部１２ｂが形成されている。
ストッパ突部１２の左右両側には、突き当て面１２ａの左右両側を延長するように設けられ、スタッキング状態で下方に位置する椅子１の連結杆２ｃにおける上向きとなった前端部２ｃ３の左右側面に当接して係合する側面係合部１２ｃが形成されている。本実施形態では、突き当て面１２ａの左右側部が側面係合部となっている。
【００４３】
複数の椅子１を上下に重ねたスタッキング状態とした場合、連結杆２ｃには床面Ｆからの接地反力がないため、スタッキング状態で上方に位置する椅子１の連結杆２ｃ上のストッパ突部１２が、下方に位置する椅子１の連結杆２ｃの前端部２ｃ３に対して接地面２ｃ４側に変位する虞があり、かつ左右側方にも変位する虞がある。スタッキング状態で上方に位置する椅子１の連結杆２ｃ上のストッパ部材が、下方に位置する椅子１の連結杆２ｃの前端部２ｃ３から脱落すると、スタッキング状態が乱れることとなる。
【００４４】
本実施形態では、ストッパ突部１２の外面係合部１２ｂおよび側面係合部１２ｃにより、スタッキング状態で上方に位置する椅子１の連結杆２ｃ上のストッパ部材が、下方に位置する椅子１の連結杆２ｃの前端部２ｃ３に対して接地面２ｃ４側および左右側方へ変位することが規制され、安定したスタッキング状態を可能としている。
【００４５】
第二位置決め突部１４には、スタッキング状態で下方に位置するほど連結杆２ｃの外面２ｃ５からの突出高さを漸減させる傾斜面１４ｂが形成されている。これにより、椅子１のスタッキング作業時に、下方に位置する椅子１の連結杆２ｃの前端部２ｃ３が第二位置決め突部１４上に容易に乗り上がり、前記前端部２ｃ３が第二位置決め突部１４に下方から突き当たってスタッキング作業の障害になることを抑止している。
【００４６】
ここで、上記実施形態では、椅子１の脚収容部８は、前方に位置する他の椅子１の左右脚体２を前方から収容するが、その際、図２０（ａ）に示すように、連結杆２ｃを順次下方に重ねるように収容する。このとき、収容される側の連結杆２ｃ上のストッパ突部１２には、収容する側の連結杆２ｃの前端部２ｃ３が後方から突き当たる。
一方、図２０（ｂ）に示すように、前記他の椅子１の連結杆２ｃを順次上方に重ねるように収容してもよい。このとき、収容する側の連結杆２ｃ上のストッパ突部１２には、収容される側の連結杆２ｃの後部が前方から突き当たる。
図２０の構成は、前後方向が入れ替わったり重なり方向が上下方向であったりしても援用できる。
【００４７】
以上説明したように、上記実施形態における椅子１では、床面Ｆに接地される接地面２ｃ４が形成された連結杆２ｃの少なくとも一部がスタッキング状態で重なる他の椅子１の連結杆２ｃと接地面２ｃ４との交差方向で重なるまで、前記他の椅子１の連結杆２ｃを収容可能な脚収容部８を備え、連結杆２ｃの接地面２ｃ４と反対側の外面２ｃ５には、前記他の椅子１の連結杆２ｃを脚収容部８に収容したとき、あるいは前記他の椅子１の脚収容部８に連結杆２ｃが収容されたとき、前記他の椅子１の連結杆２ｃを前記設置状態での前後方向で突き当て可能なストッパ突部１２が設けられ、ストッパ突部１２には、突き当てられた前記他の椅子１の連結杆２ｃの外面２ｃ５に係合可能な外面係合部１２ｂが設けられている。
【００４８】
この構成によれば、複数の椅子１をスタッキング状態としたとき、ストッパ突部１２で複数の椅子１の重なり方向の位置決めを行うとともに、上下のスタッキング状態とした際には、ストッパ突部１２で上下方向の荷重を受けることができる。また、ストッパ突部１２の外面係合部１２ｂが、突き当たった他の椅子１の連結杆２ｃの外面２ｃ５に係合するので、特に上下のスタッキング状態において、接地面２ｃ４との交差方向で重なる連結杆２ｃが互いに離間してスタッキング状態を乱すことを抑止することができる。
また、上下のスタッキング状態において、上方の椅子１の荷重を、下方に位置して重なり合った椅子１の連結杆２ｃによって受ける構成であるので、椅子１同士の距離を確実に確保することができる。したがって、椅子１の背凭れ５や座３がクッションを備える構成であっても、該クッションに過大な荷重が入力されて形状を乱してしまうことを抑止することができる。さらに、スタッキング状態を乱すことを抑止するので、台車等の運搬手段での運搬作業を行い易くすることができる。
【００４９】
上記実施形態における椅子１では、ストッパ突部１２には、突き当てられた他の椅子１の連結杆２ｃにおける什器幅方向の側面に係合可能な側面係合部１２ｃが設けられている。
この構成によれば、スタッキング状態で重なる椅子１の連結杆２ｃが什器幅方向で相対移動してスタッキング状態を乱すことを抑止することができる。
【００５０】
上記実施形態における椅子１では、前記ストッパ突部１２は、前記連結杆２ｃに固定された別体の装着部材１０により形成されている。
この構成によれば、連結杆２ｃおよびストッパ突部１２のそれぞれの形成を容易にするとともに、連結杆２ｃおよびストッパ突部１２をそれぞれの機能に適した異なる材料で形成することができる。
【００５１】
上記実施形態における椅子１では、前記設置状態で、連結杆２ｃの床面Ｆに対する移動を連結具２１で規制可能であり、ストッパ突部１２は、連結具２１における前記設置状態での前後方向の端部に係合する位置決め突部１３と一体形成されている。
この構成によれば、連結具２１の什器幅方向と交差する前後方向での位置決めを容易にするとともに、連結杆２ｃの外面２ｃ５に設けられる連結具２１用の位置決め突部１３とスタッキング用のストッパ突部１２とを一体化して合理化を図ることができる。
【００５２】
上記実施形態における椅子１では、連結杆２ｃの外面２ｃ５には、前記設置状態での前後方向で位置決め突部１３との間に連結具２１を挟み込むように第二位置決め突部１４が設けられ、第二位置決め突部１４における前記設置状態での前後方向で位置決め突部１３と反対側の端部には、前記反対側に位置するほど連結杆２ｃの外面２ｃ５からの突出高さを漸減させる傾斜面１４ｂが形成されている。
この構成によれば、連結具２１の什器幅方向と交差する前後方向での位置決めをさらに容易にするとともに、スタッキング作業時に位置決め突部１３と一体形成されたストッパ突部１２に向けて、他の椅子１の連結杆２ｃが第二位置決め突部１４側から接近してきた場合に、第二位置決め突部１４を容易に乗り超えさせることが可能となり、椅子１のスタッキング作業を容易にすることができる。
【００５３】
一方、上記実施形態における什器の連結構造では、什器幅方向に並ぶ複数の椅子１の各々の連結杆２ｃを、連結杆２ｃが接地する床面Ｆとの間に挟み込むように配置される連結具２１と、床面Ｆに連結具２１を着脱可能に固定する固定手段（ボルト２２およびナット孔２６）と、を備えている。
【００５４】
この構成によれば、什器幅方向に並ぶ複数の椅子１の各々の連結杆２ｃを、連結具２１と床面Ｆとの間に挟み込み、この連結具２１を床面Ｆに固定手段により固定することで、複数の椅子１を簡単に什器幅方向に連結して設置することができる。連結具２１は、固定手段により床面Ｆに着脱可能に固定されるので、固定手段の固定を解けば各々の連結杆２ｃからも離脱可能となり、椅子１のデザインを損ねることなく十分な大きさの連結具２１で複数の椅子１を連結状態で設置することができる。
【００５５】
上記実施形態における什器の連結構造では、連結具２１は、什器幅方向に延びて床面Ｆとの間に連結杆２ｃを挟み込むように設けられる幅方向延設部２１ａと、幅方向延設部２１ａから垂下して連結杆２ｃにおける什器幅方向の側縁部に係合する垂下部２１ｂと、を備えている。
この構成によれば、幅方向延設部２１ａから垂下する垂下部２１ｂにより、連結杆２ｃの什器幅方向の移動を確実に規制することができ、連結杆２ｃを強固な連結状態とすることができる。
【００５６】
上記実施形態における什器の連結構造では、幅方向延設部２１ａが、複数の椅子１における什器幅方向で互いに隣接する一対の連結杆２ｃを、床面Ｆとの間に挟み込むように設けられ、垂下部２１ｂが、幅方向延設部２１ａの什器幅方向の一側から垂下し、前記隣接する一対の連結杆２ｃからなる脚部群２ｃＧの什器幅方向の一側の側縁部に係合し、ボルト２２は、脚部群２ｃＧにおける什器幅方向の他側の連結杆２ｃに挿通されてナット孔２６に螺合される。
この構成によれば、隣接する一対の連結杆２ｃからなる脚部群２ｃＧの内、一方の連結杆２ｃのずれは垂下部２１ｂにより防止するとともに、他方の連結杆２ｃのずれはボルト２２およびナット孔２６により防止することができる。また、一対の連結杆２ｃの固定も一組のボルト２２およびナット孔２６により行うことができ、椅子１の床連結作業を効率化することができる。
【００５７】
なお、幅方向延設部２１ａが、複数の椅子１における什器幅方向で互いに隣接する各々の連結杆２ｃを、床面Ｆとの間に挟み込むように設けられ、垂下部２１ｂが、幅方向延設部２１ａの什器幅方向の両側から垂下し、前記隣接する各々の連結杆２ｃからなる脚部群２ｃＧの什器幅方向の両側の側縁部にそれぞれ係合する構成としてもよい。
この場合、連結具２１が脚部群２ｃＧを什器幅方向で挟み込む門型をなすこととなり、簡易な構成で連結杆２ｃを強固な連結状態とすることができる。
【００５８】
上記実施形態における什器の連結構造では、複数の椅子１における什器幅方向で互いに隣接する各々の連結杆２ｃの少なくとも一つに、前記固定手段のボルト２２を挿通するボルト挿通孔２ｃ６が形成されている。
この構成によれば、固定手段のボルト２２により連結杆２ｃを床面Ｆに直接的に固定することができる。
【００５９】
図１５、図１６は本実施形態の変形例を示す。
図１５に示す連結具２１’は、幅方向に並ぶ複数の椅子１の連結杆２ｃに渡って設けられ、複数の連結杆２ｃを同時に床面Ｆに固定可能である。連結具２１’は、例えば什器幅方向に直線状に延びる角鋼管で形成された幅方向延設部２１ａ’を有し、この幅方向延設部２１ａ’が例えば椅子１毎の左右連結杆２ｃの間でボルト２２により床面Ｆに固定される。このとき、連結具２１’によって、複数の椅子１の連結杆２ｃが装着部材１０を介して上方から押圧された状態で床面Ｆに固定される。
【００６０】
図１６を併せて参照し、連結具２１’の下面には、クッションゴム２１ｅを備えるボス（垂下部）２１ｄが複数立設されている。ボス２１ｄは、例えば什器幅方向で並ぶ一対の連結杆２ｃの両側に隣接して設けられ、什器幅方向で並ぶ椅子１の什器幅方向の移動を規制可能である。なお、ボス２１ｄは、ボルト２２による締結荷重を受けるべくボルト２２の近傍に設けられてもよい。
【００６１】
図１７〜図１９は本実施形態の他の変形例を示す。
図１７〜図１９に示す連結杆２ｃ’は、少なくとも前端部２ｃ３を除き、幅方向内側を上方に変位させた凸部２ｃ７を有するハット形の断面形状に形成されている。これに対応し、連結杆２ｃ’に固定される装着部材１０’は、ベース板部１１における連結杆２ｃ’に対向する下面部の幅方向内側に、連結杆２ｃ’の凸部２ｃ７に対応する凹部１１ｂが形成されている。
【００６２】
装着部材１０’の下面部には、例えばストッパ突部１２の内側に内蔵したナットＮ１に対応するナット孔１１ｃが形成されるとともに、第二位置決め突部１４の中央部を一部切り欠くように装着部材１０’を貫通するボルト挿通孔１１ｄが形成されている。連結杆２ｃ’には、ナット孔１１ｃに対向するボルト挿通孔２ｃ８が形成され、かつボルト挿通孔１１ｄに対向する雌ネジ孔２ｃ９が形成されている。
【００６３】
連結杆２ｃ’のボルト挿通孔２ｃ８および装着部材１０’のナット孔１１ｃには、装着部材１０’の前部を連結杆２ｃ’に固定するための第一ボルトＢ１が下方から装着される。この第一ボルトＢ１により装着部材１０’の前部が連結杆２ｃ’に固定される。第一ボルトＢ１の頭部は連結杆２ｃ’の内側に収まり、床面Ｆに干渉することはない。
【００６４】
連結杆２ｃ’のボルト挿通孔１１ｄおよび装着部材１０’の雌ネジ孔２ｃ９には、装着部材１０’の後部を連結杆２ｃ’に固定するための第二ボルトＢ２が上方から装着される。この第二ボルトＢ２により装着部材１０’の後部が連結杆２ｃ’に固定される。連結杆２ｃ’のボルト挿通孔１１ｄの上部には第二ボルトＢ２の頭部を沈み込ませる座刳りが形成され、雌ネジ孔２ｃ９の内周には第二ボルトＢ２に対応するネジ山が刻設されている。
【００６５】
装着部材１０’のストッパ突部１２における凹状の突き当て面１２ａは、位置決め突部１３の前方での連結杆２ｃ’側への型抜きにより形成されており、位置決め突部１３の前方で連結杆２ｃ’側に開放するように形成されている。
【００６６】
なお、本発明は上記実施形態に限られるものではなく、例えば、装着部材１０は、第二位置決め突部１４を備えず、後部上面をフラットに形成してもよい。また、連結杆２ｃを避けた位置にボルト２２およびナット孔２６を配置して連結具２１を床面Ｆに固定してもよい。
そして、上記実施形態における構成は本発明の一例であり、椅子以外の什器にも適用可能であることはもちろん、本発明の要旨を逸脱しない範囲で種々の変更が可能である。
【符号の説明】
【００６７】
１  椅子（什器）
１Ａ  組み合わせ什器
２ｃ，２ｃ’  連結杆（脚部）
２ｃＧ  脚部群
２ｃ３  前端部（端部）
２ｃ４  接地面
２ｃ５  外面
２ｃ６  ボルト挿通孔
８  脚収容部
１０，１０’  装着部材
１２  ストッパ突部
１２ｂ  外面係合部
１２ｃ  側面係合部
１３  位置決め突部
１４  第二位置決め突部
１４ｂ  傾斜面
２１，２１’  連結具
２１ａ  幅方向延設部
２１ｂ  垂下部
２１ｃ  ボルト挿通孔
２１ｄ  ボス（垂下部）
２２  ボルト（固定手段）
２６  ナット孔（固定手段）
１００  台車（収容部）
Ｆ  床面（什器設置面）
【図１】
0006775310.tif 000002
【図２】
0006775310.tif 000003
【図３】
0006775310.tif 000004
【図４】
0006775310.tif 000005
【図５】
0006775310.tif 000006
【図６】
0006775310.tif 000007
【図７】
0006775310.tif 000008
【図８】
0006775310.tif 000009
【図９】
0006775310.tif 000010
【図１０】
0006775310.tif 000011
【図１１】
0006775310.tif 000012
【図１２】
0006775310.tif 000013
【図１３】
0006775310.tif 000014
【図１４】
0006775310.tif 000015
【図１５】
0006775310.tif 000016
【図１６】
0006775310.tif 000017
【図１７】
0006775310.tif 000018
【図１８】
0006775310.tif 000019
【図１９】
0006775310.tif 000020
【図２０】
0006775310.tif 000021